(57)【要約】      （修正有）【課題】石材又はコンクリートからなる道路、通路の敷設材の風化を防止し、且つコンクリートの中性化を防止できるようにした敷石材を提供する。【解決手段】道路、通路の敷設材に、珪酸化合物、水、アクリル樹脂系バインダー材からなる二酸化炭素吸収組成物含有無機質塗料を塗布し内部に浸透させる。このことにより、石材又はコンクリート層の内部にガラス質の被膜を形成させ、水をコンクリート等から遮断できるようにする。【選択図】図１
0003162178.tif 000002
【実用新案登録請求の範囲】
【請求項１】
珪酸化合物、水、アクリル樹脂系バインダー材からなる二酸化炭素吸収組成物含有無機質塗料を塗布し内部に浸透させたことを特徴とする道路、通路等の敷設材。
【請求項２】
前記敷設材が、石材又はコンクリートからなるインターロッキングブロックである請求項１の道路、通路等の敷設材。
【請求項３】
前記敷設材が、石材又はコンクリートからなる視覚障害者誘導用ブロックである請求項１の道路、通路等の敷設材。
【請求項４】
前記敷設材が、石材からなる石畳である請求項１の道路、通路等の敷設材。
【請求項５】
前記敷設材が、石材からなる石段である請求項１の道路、通路等の敷設材。
【請求項６】
前記敷設材が、コンクリートからなる歩車道境界ブロックである請求項１の道路、通路等の敷設材。
【考案の詳細な説明】
【技術分野】
【０００１】  本考案は、道路、通路等に敷設する石材又はコンクリートからなる敷設材、歩道等に敷設する視覚障害者誘導用ブロックの改良に関するものである。
【背景技術】
【０００２】  従来より道路、通路の敷設材としてコンクリートからなり種々の形状としたインターロッキングブロック又は平板は知られている。更に石材又はコンクリートからなるブロック表面に複数本の凸状ライン又は表面に多数の円形状突起物を設けた視覚障害者誘導用ブロックも周知である。その他にも、石材製としては石畳み、石段があげられる。また、直接の敷設材ではないが、道路と歩道の境界ブロック等も当該分野に属するものである。【０００３】  コンクリートは、アルカリ性の強固な物室で、その表面は絶えず雨水にさらされ、空気中の湿気、大気中に含まれている炭酸ガス、酸性の排気ガス、海水の塩分、酸性雨等と接触していて酸化されるのでコンクリートは中性化されてしまい、脆い物質になってしまう。酸化されて中和されたコンクリート成分は水に溶けやすく、雨水に溶けてコンクリートから流出してしまうので、やがてコンクリートは徐々に痩せ細り、最終的にはコンクリート構造物自体が崩壊する危険性がある。このように、コンクリートが酸性の物質によって酸化される現象を「コンクリートの中性化」と言われる。【０００４】  コンクリートの中性化を防止するためには、もっとも効果的な方法として、水をコンクリートから遠ざけるという方法がある。水は酸性物質を酸化剤として作用させるために必要不可欠な溶媒であるので、水なしではいかなる酸製剤も酸として作用しない。コンクリートと水を隔離させておくために、従来ではコンクリートにペンキや撥水剤を塗布する方法が行われていたが、ペンキや撥水剤は石油を原料とする製品で、合成樹脂製品であるから、太陽熱、紫外線等で破壊される傾向があって、恒久的に性能を継続させることは困難であった。即ち、ペンキや撥水剤等の塗科が老化してしまうので、水をコンクリートから隔離しておけるという性能は比較的短時間で消滅してしまうという結点があった。【０００５】  石材においても、やはり風雨にさらされ、紫外線を浴びているうちに風化が進み表面が脆くなるという問題があった。
【考案の開示】
【考案が解決しようとする課題】
【０００６】  解決しようとする問題点は、石材又はコンクリートからなる道路、通路等の敷設材の風化を防止し、且つコンクリートの中性化を防止すること、が課題である。
【課題を解決するための手段】
【０００７】  本考案は、道路、通路等の敷設材に、珪酸化合物、水、アクリル樹脂系バインダー材からなる二酸化炭素吸収組成物含有無機質塗料を塗布し内部に浸透させることで、石材又はコンクリート層の内部にガラス質の被膜を形成させ、水をコンクリート等から遮断するようにすることを問題を解決するための手段としている。
【考案の効果】
【０００８】  本考案は、道路、通路等の敷設材、即ち、石材又はコンクリートからなるインターロッキングブロック、同じく石材又はコンクリートからなる視覚障害者誘導用ブロック、石材からなる石畳又は石段、コンクリートからなる歩車道境界ブロック等に、珪酸化合物、水、アクリル樹脂系バインダー材からなる二酸化炭素吸収組成物含有無機質塗料を塗布し内部に浸透させたことを特徴とするものであるから、従来この種の敷設材においては、石材は風雨、紫外線にさらされることにより風化し、またコンクリートは空気中の湿気、大気中に含まれている炭酸ガス、酸性の排気ガス、海水の塩分、酸性雨等と接触していて酸化されるのでコンクリートは中性化されてしまっていたが、珪酸化合物、水、アクリル樹脂系バインダー材からなる二酸化炭素吸収組成物含有無機質塗料を塗布し内部に浸透させているので、二酸化炭素吸収組成物は、上述の珪酸化合物、水、アクリル樹脂系バインダー材を混練して生成される。生成された二酸化炭素吸収組成物は、硬化する過程で二酸化炭素を吸収しながら、重合珪酸として形成される、即ち、石材又はコンクリート層の内部にガラス質の被膜を形成させ、水をコンクリート等から遮断することでこれらの問題が解決される等、顕著なる実用的効果を有するものである。
【考案を実施するための最良の形態】
【０００９】  珪酸化合物、水、アクリル樹脂系バインダー材からなる二酸化炭素吸収組成物含有無機質塗料を塗布し内部に浸透させたことを特徴とする道路、通路等の敷設材を呈セントするものである。
【実施例１】
【００１０】  図１〜図７は各種インターロッキングの図面であり、当該インターロッキングブロックの形状は実施例に示す以外にもある。図８は視覚障害者用誘導ブロックで、Ａは注意喚起、警告を促す警告ブロック（点状ブロック）で、Ｂは移動の方向を示す誘導ブロック（線状ブロック）である。図９は歩車道境界ブロックで、Ａは左側面、Ｂは正面、Ｃは右側面を表している。尚、本実施例においては石畳、石段は図示していないが、本考案においてはこれらのブロックすべてを道路、通路等の敷設材としている。【００１１】  前記インターロッキングブロック類、視覚障害者用誘導ブロック、歩車道境界ブロック、石畳、石段等に下記に説明する珪酸化合物、水、アクリル樹脂系バインダー材からなる二酸化炭素吸収組成物含有無機質塗料を塗布している。【００１２】  二酸化炭素を吸収する二酸化炭素吸収組成物は、珪酸化合物、水、アクリル樹脂系バインダー材からなる。【００１３】  珪酸化合物とは、珪酸を化合物の一部として含有する物質を言う。例えば、珪酸ナトリウム、珪酸カリウム、珪酸カルシウム、二酸化珪素、水酸化ナトリウム珪素等があげられ、それらのうち少なくとも１種以上を用いる。二酸化炭素吸収組成物中における珪酸化合物は、１０〜５０重量％の範囲で適宜選択することができ、２５〜３０重量％の範囲でより効果的な二酸化炭素吸収組成物を得ることができる。【００１４】  水は、一般的な水道水から、ミネラルウォーターなどの天然水、蒸留水、イオン水などが挙げられ、それらのうち少なくとも１種以上を用いる。二酸化炭素吸収組成物中における水は、１０〜５０重量％の範囲で適宜選択することができ、３５〜４５重量％の範囲でより効果的な二酸化炭素吸収組成物を得ることができる。【００１５】  アクリル樹脂系バインダー材は、一般的な塗科にも用いられているアクリル樹脂系のバインダー材を用いることができる。例えば、金属化合物、有機固着材、硬化促進作用剤などが挙げられる。好ましくは、珪酸マグネシウム、珪酸アルミニウム、アルミナ、珪石、リン酸塩、ホウ酸アルミニウム、酸化亜鉛、炭酸カルシウム、ガラス粉、粘土、雲母、ガラス繊維、シリコン樹脂、フッ素樹脂などが挙げられ、それらのうち少なくとも１種以上を用いる。また、着色のために添加される顔料もバインダー材としての作用を奏するため、上記列挙したバインダー材の１種として用いることができる。二酸化炭素吸収組成物中におけるアクリル樹脂系バインダー材は、１０〜４０重量％の範囲で適宜選択することができ、３０〜３５重量％の範囲でより効果的な二酸化炭素吸収組成物を得ることができる。【００１６】  二酸化炭素吸収組成物は、上述の珪酸化合物、水、アクリル樹脂系バインダー材を混練して生成される。生成された二酸化炭素吸収組成物は、硬化する過程で二酸化炭素を吸収しながら、重合珪酸として形成される。
【産業上の利用可能性】
【００１７】  本考案は、道路、通路等の敷設材、即ち、石材又はコンクリートからなるインターロッキングブロック、同じく石材又はコンクリートからなる視覚障害者誘導用ブロック、石材からなる石畳又は石段、コンクリートからなる歩車道境界ブロック等に、珪酸化合物、水、アクリル樹脂系バインダー材からなる二酸化炭素吸収組成物含有無機質塗料を塗布し内部に浸透させたことを特徴とするものであるから、従来この種の敷設材においては、石材は風雨、紫外線にさらされることにより風化し、またコンクリートは空気中の湿気、大気中に含まれている炭酸ガス、酸性の排気ガス、海水の塩分、酸性雨等と接触していて酸化されるのでコンクリートは中性化されてしまっていたが、珪酸化合物、水、アクリル樹脂系バインダー材からなる二酸化炭素吸収組成物含有無機質塗料を塗布し内部に浸透させているので、二酸化炭素吸収組成物は、上述の珪酸化合物、水、アクリル樹脂系バインダー材を混練して生成される。生成された二酸化炭素吸収組成物は、硬化する過程で二酸化炭素を吸収しながら、重合珪酸として形成される、即ち、石材又はコンクリート層の内部にガラス質の被膜を形成させ、水をコンクリート等から遮断することで、コンクリートの中性化を防止する等、顕著なる実用的効果を有するものであり、また塗料を塗布するだけでコンクリートの中性化を防止できる新たなる敷設材ということで産業上の利用可能性は極めて大である。
【図面の簡単な説明】
【００１８】
【図１】  インターロッキングブロック平面図。
【図２】  インターロッキングブロック平面図。
【図３】  インターロッキングブロック平面図。
【図４】  インターロッキングブロック平面図。
【図５】  インターロッキングブロック平面図。
【図６】  インターロッキングブロック平面図。
【図７】  インターロッキングブロック平面図。
【図８】  視覚障害者誘導用ブロック平面図。
【図９】  歩車道境界ブロック。
【符号の説明】
【００１９】１  インターロッキングブロック
２  視覚障害者誘導ブロック
３  歩車道境界ブロック
【図１】
0003162178.tif 000003
【図２】
0003162178.tif 000004
【図３】
0003162178.tif 000005
【図４】
0003162178.tif 000006
【図５】
0003162178.tif 000007
【図６】
0003162178.tif 000008
【図７】
0003162178.tif 000009
【図８】
0003162178.tif 000010
【図９】
0003162178.tif 000011
【手続補正書】
【提出日】平成22年6月1日(2010.6.1)
【手続補正１】
【補正対象書類名】実用新案登録請求の範囲
【補正対象項目名】全文
【補正方法】変更
【補正の内容】
【実用新案登録請求の範囲】
【請求項１】
珪酸化合物、水、アクリル樹脂系バインダー材からなる二酸化炭素吸収組成物含有無機質塗料を塗布し内部に浸透させたことを特徴とする道路または通路の敷設材。
【請求項２】
前記敷設材が、石材又はコンクリートからなるインターロッキングブロックである請求項１の道路または通路の敷設材。
【請求項３】
前記敷設材が、石材又はコンクリートからなる視覚障害者誘導用ブロックである請求項１の道路または通路の敷設材。
【請求項４】
前記敷設材が、石材からなる石畳である請求項１の道路または通路の敷設材。
【請求項５】
前記敷設材が、石材からなる石段である請求項１の道路または通路の敷設材。
【請求項６】
前記敷設材が、コンクリートからなる歩車道境界ブロックである請求項１の道路または通路の敷設材。